(57)【要約】【課題】モータ駆動に際して生じる銅損をより一層に低減する。【解決手段】インバータの制御装置において、モータ（7）を駆動するに際し、制御回路（5）は、ｑ軸電流指令値（iq※）として、基本波の正弦関数（sinωt）に少なくともその正弦関数の３次及び５次を含む複数の奇数次高調波（sin3ωt、sin5ωt…）を重畳して、モータ（7）を制御する。また、制御回路（5）は、ｄ軸電流指令値（id※）として、ｑ軸電流指令値（iq※）と同様に基本波の正弦関数（sinωt）に複数の奇数次高調波（sin3ωt、sin5ωt…）を重畳して、モータ（7）を制御する。【選択図】図１
2013135568.tif 000002
【特許請求の範囲】
【請求項１】
角周波数（ω）の交流電圧を全波整流して得られる整流電圧を受けて、ｑ軸電流及びｄ軸電流をモータ（7）に供給して駆動するインバータの制御装置において、
上記インバータを制御する制御回路（5）は、ｑ軸電流の指令値（iq※）として、角周波数（ω）の正弦関数（sinωt）に少なくとも上記正弦関数の第３次及び第５次を含む複数の奇数次高調波（sin3ωt、sin5ωt…）を重畳して、上記モータ（7）を駆動する
ことを特徴とするインバータの制御装置。
【請求項２】
上記請求項１記載のインバータの制御装置において、
上記制御回路（5）は、更に、ｄ軸電流の指令値（id※）として、角周波数（ω）の正弦関数（sinωt）に上記正弦関数の第３次及び第５次を含む複数の奇数次高調波（sin3ωt、sin5ωt…）を重畳して、上記モータ（7）を駆動する
ことを特徴とするインバータの制御装置。
【請求項３】
上記請求項２記載のインバータの制御装置において、
上記制御回路（5）は、ｑ軸電流の指令値（iq※）及びｄ軸電流の指令値（id※）に基づいて得られるモータ（7）の平均トルクが、奇数次高調波が重畳されない基本波の正弦関数（sinωt）のみのｑ軸電流指令値及びｄ軸電流指令値に基づいて得られる平均トルクと一致するように、上記ｑ軸電流の指令値（iq※）の振幅を決定する
ことを特徴とするインバータの制御装置。
【請求項４】
上記請求項２記載のインバータの制御装置において、
上記制御回路（5）は、ｑ軸電流の指令値（iq※）に対するｄ軸電流の指令値（id※）の比率（id※/iq※）が固定比率になるように、ｄ軸電流の指令値（id※）を計算する
ことを特徴とするインバータの制御装置。
【請求項５】
上記請求項２記載のインバータの制御装置において、
上記制御回路（5）は、上記ｑ軸電流の指令値（iq※）が大きいほど、そのｑ軸電流の指令値（iq※）に対するｄ軸電流の指令値（id※）の比率（id※/iq※）が大きくなるように、ｄ軸電流の指令値（id※）を計算する
ことを特徴とするインバータの制御装置。
【発明の詳細な説明】
【技術分野】
【０００１】
本発明は、モータを駆動するインバータの制御装置に関し、特に、モータ駆動に際して生じる銅損の軽減対策に関する。
【背景技術】
【０００２】
従来、モータを駆動するインバータの制御装置として、例えば特許文献１には、モータのｑ軸電流の指令値として、全波整流器に接続する交流電源の電圧（Vs）の位相（θ）についての基本波の正弦関数（sinθs）に３次高調波（sin3θs）を重畳した値を採用すると、重畳しない場合に比べて銅損を低減でき、特に、３次高調波の重み係数（h）を変化させると、低減できる銅損も変化し、h=1/3を採用して（1/3×sin3θs）を重畳すると、銅損が最小になる技術が提案されている。
【先行技術文献】
【特許文献】
【０００３】
【特許文献１】特開２００３−６１３８２号公報
【発明の概要】
【発明が解決しようとする課題】
【０００４】
しかしながら、上記従来のインバータの制御装置では、銅損の低減についての研究、検討に際し、モータに生じるトルクとして、磁石トルクを発生させるｑ軸電流のみを考慮し、リラクタンストルクを発生させるｄ軸電流（id）については変動させずに一定値（Id）（id＝Id）と簡略化すると共に、ｑ軸電流に重畳する高調波は３次高調波に限定している。従って、このような簡略化、限定の下では、モータに発生する全トルクが影響を受けると共に、低減できる銅損にも限りがあるという欠点がある。
【０００５】
本発明は、かかる点に鑑みてなされたものであり、その目的は、インバータの制御装置として、銅損を従来よりも一層低減すること、更には、リラクタンストルクをも考慮しつつ銅損を効果的に低減することにある。
【課題を解決するための手段】
【０００６】
上記目的を達成するため、本発明は、ｑ軸電流に重畳する高調波として、３次高調波と５次高調波を少なくとも含んだ複数の奇数次高調波を基本波に重畳する構成を採用し、更には、ｄ軸電流をｑ軸電流と同様に変動させる構成を採用する。
【０００７】
具体的に、本願の第１の発明のインバータの制御装置は、角周波数（ω）の交流電圧を全波整流して得られる整流電圧を受けて、ｑ軸電流及びｄ軸電流をモータ（7）に供給して駆動するインバータの制御装置において、上記インバータを制御する制御回路（5）は、ｑ軸電流の指令値（iq※）として、角周波数（ω）の正弦関数（sinωt）に少なくとも上記正弦関数の第３次及び第５次を含む複数の奇数次高調波（sin3ωt、sin5ωt…）を重畳して、上記モータ（7）を駆動することを特徴とする。
【０００８】
従って、上記第１の発明では、ｑ軸電流には、基本波に重畳する奇数次高調波として、３次高調波だけでなく、５次高調波も重畳されたり、５次高調波と７次高調波とが重畳されたりするので、これらの重畳されたｑ軸電流は基本波のみのｑ軸電流や基本波に３次高調波のみを重畳したｑ軸電流の場合に比して最大値が小さく抑えられ、その結果、モータで生じる銅損が従来よりも有効に低減され、効率が一層改善される。更に、ｑ軸電流の最大値の低減によって回路素子を耐電流に対して小容量化することができる。また、制御回路のみを変更するだけでよいので、簡便である。
【０００９】
また、第２の発明は、上記請求項１記載のインバータの制御装置において、上記制御回路（5）は、更に、ｄ軸電流の指令値（id※）として、角周波数（ω）の正弦関数（sinωt）に上記正弦関数の第３次及び第５次を含む複数の奇数次高調波（sin3ωt、sin5ωt…）を重畳して、上記モータ（7）を駆動することを特徴とする。
【００１０】
上記第２の発明では、ｄ軸電流には、前記ｑ軸電流と同様に、基本波に重畳する奇数次高調波として、少なくとも３次高調波と５次高調波、更には７次高調波が重畳されるので、ｄ軸電流の変動に応じたリラクタンストルクが得られて、モータにはｑ軸電流に基づく磁石トルクを合わせた良好な全トルクが得られる。
【００１１】
更に、第３の発明は、上記請求項２記載のインバータの制御装置において、上記制御回路（5）は、ｑ軸電流の指令値（iq※）及びｄ軸電流の指令値（id※）に基づいて得られるモータ（7）の平均トルクが、奇数次高調波が重畳されない基本波の正弦関数（sinωt）のみのｑ軸電流指令値及びｄ軸電流指令値に基づいて得られる平均トルクと一致するように、上記ｑ軸電流の指令値（iq※）の振幅を決定することを特徴とする。
【００１２】
上記第３の発明では、ｑ軸電流の振幅が調整されて、基本波のみのｑ軸電流及びｄ軸電流の場合と同様の平均トルクが得られるので、３次高調波のみを重畳する従来の場合に比して、全トルクの低下を招かずに銅損を有効に低減可能である。
【００１３】
加えて、第４の発明は、上記請求項２記載のインバータの制御装置において、上記制御回路（5）は、ｑ軸電流の指令値（iq※）に対するｄ軸電流の指令値（id※）の比率（id※/iq※）が固定比率になるように、ｄ軸電流の指令値（id※）を計算することを特徴とする。
【００１４】
上記第４の発明では、ｑ軸電流とｄ軸電流との比率が一定であるので、インバータの制御回路を簡易に構成できる。
【００１５】
また、第５の発明は、上記請求項２記載のインバータの制御装置において、上記制御回路（5）は、上記ｑ軸電流の指令値（iq※）が大きいほど、そのｑ軸電流の指令値（iq※）に対するｄ軸電流の指令値（id※）の比率（id※/iq※）が大きくなるように、ｄ軸電流の指令値（id※）を計算することを特徴とする。
【００１６】
上記第５の発明では、ｑ軸電流（iq）とｄ軸電流（id）との比率（id/iq）、即ち、ｑ軸電流とｄ軸電流とを合成した電流ベクトル(i)のｑ軸からの進み角（β）のｔａｎ（β）について、ｑ軸電流が大きいほど前記比率（id/iq）を大値に、即ち、前記進み角（β）を大きく（より進み側に）設定するので、最小の電流(i)で同一トルクを得ることができて、鉄損をも小さく抑制して効率を改善することが可能である。
【発明の効果】
【００１７】
以上説明したように、上記第１の発明によれば、ｑ軸電流の最大値を小さく抑えて、モータで生じる銅損を有効に低減でき、効率の改善が可能である。
【００１８】
また、上記第２の発明によれば、ｄ軸電流を変動させて、そのｄ軸電流の変動に応じたリラクタンストルクを得ることができるので、モータには変動するリラクタンストルクと磁石トルクとを合わせた良好な全トルクが得られる。
【００１９】
更に、上記第３の発明によれば、ｑ軸電流の振幅を調整して、全トルクの低下を招かずに銅損の低減が可能である。
【００２０】
加えて、上記第４の発明によれば、ｑ軸電流とｄ軸電流との比率を一定にしたので、インバータの制御回路を簡易に構成できる。
【００２１】
また、上記第５の発明によれば、最小の電流で同一トルクを得ることができるので、銅損だけでなく鉄損も小さく抑制して、効率を改善できる。
【図面の簡単な説明】
【００２２】
【図１】図１は、本発明の第１の実施形態に係るインバータの制御装置の全体概略構成を示す図である。
【図２】図２は、インバータの制御装置に備える制御回路の内部の要部構成を示す図である。
【図３】図３は、ｑ軸電流の波形を示し、同図（ａ）は基本波のみの場合を示す図、同図（ｂ）は基本波に３次高調波を重畳した比較例の場合を示す図、同図（ｃ）は基本波に３次及び５次高調波を重畳した第１の実施形態の場合を示す図、同図（ｄ）は基本波に３次、５次及び７次高調波を重畳した第１の実施形態の変形例の場合を示す図である。
【図４】図４は、大容量コンデンサを用いず、力率改善コンデンサ及び波形改善要コンデンサを省略したインバータを用いてモータ駆動を行った場合において、図３（ａ）〜（ｄ）のｑ軸電流波形の下で計測した銅損を示す図である。
【図５】図５は、一定トルクを発生する電流の位相に対する特性を示す図である。
【発明を実施するための形態】
【００２３】
以下、本発明の実施形態について図面を参照しながら説明する。尚、以下の実施形態は、本質的に好ましい例示であって、本発明、その適用物、又はその用途の範囲を制限することを意図するものではない。
【００２４】
（第１の実施形態）
図１は、本発明の第１の実施形態に係るインバータの制御装置（1）の全体概略構成を示すブロック図である。
【００２５】
同図に示したインバータの制御装置（1）は、コンバータ回路（2）、フィルタ部（3）、インバータ回路（4）及び制御回路（5）を備える。コンバータ回路（2）は、４つのダイオード（D1）〜（D4）がブリッジ状に結線されたダイオードブリッジ回路よりなり、単相の交流電源（6）が出力した交流を直流に全波整流する。インバータ回路（4）は、還流ダイオード（Du,Dv,Dw,Dx,Dy,Dz）が各々逆並列に接続された６個のスイッチング素子（Su,Sv,Sw,Sx,Sy,Sz）を備え、上記コンバータ回路（2）の整流出力をフィルタ部（3）を介して受け、その直流電圧を６個のスイッチング素子（Su,Sv,Sw,Sx,Sy,Sz）のスイッチング動作によって三相交流電圧に変換し、三相モータ（7）へ供給する。
【００２６】
上記フィルタ部（3）は、コンバータ回路（2）と並列に接続されたコンデンサ（3a）を備える。このコンデンサ（3a）は、インバータ回路（4）のスイッチング素子（Su,Sv,Sw,Sx,Sy,Sz）のスイッチング周波数に対応して生じるリプル電圧（電圧変動）のみを平滑可能な小容量の静電容量を有する。換言すれば、コンデンサ（3a）は、コンバータ回路（2）の整流電圧を平滑する大容量の静電容量を有さないコンデンサである。従って、コンデンサ（3a）は電界コンデンサではなく、例えば極めて小容量のフィルムコンデンサにより構成される。備えられるコンデンサはこの小容量のフィルムコンデンサ（3a）のみであり、他に力率改善コンデンサや波形改善用コンデンサは省略して備えられない。
【００２７】
制御回路（5）は、三相モータ（7）の各相に流れる電流（iu,iv,iw）を制御するよう上記インバータ回路（4）の６個のスイッチング素子（Su,Sv,Sw,Sx,Sy,Sz）をオンオフ制御する。この制御回路（5）は、モータ（7）の三相の界磁コイルに流れる電流（iu,iv,iw）をベクトル制御によって制御して、モータ（7）を弱め磁束制御する。具体的には、モータ内部に確立した主磁束方向に磁束を作る電流成分である磁束電流（ｄ軸電流）（id）と、このｄ軸電流とは位相が９０°異なるトルク電流（ｑ軸電流）（iq）とに分けて独立に制御する。ここで、モータ（7）は、永久磁石型モータ、例えば、埋込永久磁石型モータ、即ち、回転子に永久磁石が埋め込まれ、固定子に三相の界磁コイルが設けられたモータである。
【００２８】
上記制御回路（5）の内部の要部構成を図２に示す。同図において、制御回路（5）は、減算器（49）、速度制御部（50）、ｑ軸電流指令計算部（51）、ｄ軸電流指令計算部（52）を備える。減算器（49）はモータ（7）の回転子の回転角周波数（ω）と、その回転角周波数の指令値（ω※）との偏差を求める。速度制御部（50）は、前記偏差（ω※−ω）に比例・積分演算（ＰＩ演算）を行ってトルク指令値（T※）をｑ軸電流指令計算部（51）に出力する。ｑ軸電流指令計算部（51）は、演算されたトルク指令値（T※）になるようにｑ軸電流指令値（iq※）を計算する。また、ｄ軸電流指令計算部（52）は、下記式（1）に示すように、上記計算されたｑ軸電流指令値（iq※）に−tan（β）を乗算してｄ軸電流指令値（id※）を得る。
【００２９】
【数１】
2013135568.tif 000003
【００３０】
上記計算式（1）において、角度（β）は、ｑ軸電流指令値（iq※）とｄ軸電流指令値（id※）とを合成した電流ベクトルのｑ軸からの位相進み角であり、tan（β）はｑ軸電流指令値（iq※）に対するｄ軸電流指令値（id※）の比率（id※/iq※）を示す。本実施形態ではこの位相進み角（β）は一定比率に固定する。
【００３１】
上記ｑ軸電流指令値（iq※）及びｄ軸電流指令値（id※）は、図示しないが、ｄ−ｑ軸からＵ、Ｖ、Ｗ相への軸変換処理を含む種々の演算処理が行われ、最終的にスイッチング指令ＣＮＴが求められて、このスイッチング指令ＣＮＴがインバータ回路（4）に出力される。
【００３２】
上記ｑ軸電流指令計算部（51）の計算の詳細を説明する。この計算部（51）では、ｑ軸電流指令値（iq※）を下記式（2）により計算する。
【００３３】
【数２】
2013135568.tif 000004
【００３４】
即ち、上記式（2）から判るように、ｑ軸電流指令値（iq※）は、単相交流電源（6）の角周波数（ω）の正弦関数（sinωt）に、上記正弦関数の第３次及び第５次の２つの奇数次高調波（sin3ωt、sin5ωt）を重畳した値である。第３次高調波（sin3ωt）に乗算される係数（1/3）、及び第５次高調波（sin5ωt）に乗算される係数（1/5）は、各々重み係数（h）であり、これらの係数（h=1/3）、（h=1/5）は本実施形態の値に限定されず、種々設定可能である。
【００３５】
また、上記式（2）において、ｑ軸電流指令値（iq※）の振幅値（Iq3）は、次のように決定される。先ず、モータ（7）の発生トルク（T）は、下記式（3）で示される。
【００３６】
【数３】
2013135568.tif 000005
【００３７】
ここで、Ｐｎはモータ（7）の極対数、Ψａは永久磁石の鎖交磁束数、Ｌｄはｄ軸インダクタンス、Ｌｑはｑ軸インダクタンスである。尚、埋込永久磁石型モータの場合、ｑ軸インダクタンスＬｑはｄ軸インダクタンスＬｄよりも大きい（Ｌｑ＞Ｌｄ）。ｑ軸電流指令計算部（51）は、上記のように計算したｑ軸電流指令値（iq※）とｄ軸電流指令値（id※）とを上記式（3）に代入して、そのｑ軸電流により回転子に埋め込まれた磁石と固定子の回転磁界との間に発生する上記式（3）の第１項で示される磁石トルクと、そのｄ軸電流により回転子の鉄心と固定子の回転磁界との間で発生する上記式（3）の第２項で示されるリラクタンストルクとを合計した瞬時トルクを求め、その求めた瞬時トルクの電源周波数の半周期の間で平均値を求める。また、下記式（4）に示すように、
【００３８】
【数４】
2013135568.tif 000006
【００３９】
ｑ軸電流指令値として基本波のみの正弦関数（sinωt）を採用すると共に、ｄ軸電流指令値としてこのｑ軸電流指令値（sinωt）に−tan（β）を乗算した値を採用した場合に、これらの基本波のみのｑ軸電流指令値及びｄ軸電流指令値を上記式（3）に代入して瞬時トルクを求め、その求めた瞬時トルクの電源周波数の半周期の間での平均値を求める。そして、この求めた２つの平均トルクが同一値となるように、上記式（2）でのｑ軸電流指令値（iq※）の振幅値（Iq3）を、上記式（4）でのｑ軸電流指令値の振幅値（Iq１）と関連して決定する。
【００４０】
尚、本実施形態では、ｑ軸電流指令計算部（51）において、ｑ軸電流指令値（iq※）を上記式（2）のように基本波の正弦関数（sinωt）に３次及び５次の２つの奇数高調波（sin3ωt、sin5ωt）を重畳した値を採用したが、本発明はこれに限定されず、例えば下記式（5）に示すように、
【００４１】
【数５】
2013135568.tif 000007
【００４２】
３次、５次及び７次の３つの奇数高調波（sin3ωt、sin5ωt、sin7ωt）を重畳した値を採用しても良い。上記式（5）では、７次高調波（sin7ωt）の重み係数（h）をh=1/7に設定している。
【００４３】
図３は、４種のｑ軸電流波形を示す。同図（ｃ）は上記式（２）に示す通り基本波に３次及び５次高調波を重畳した場合のｑ軸電流波形、同図（a）は上記式（４）に示す通り基本波のみのｑ軸電流波形、同図（d）は上記式（５）に示す通り基本波に３次、５次及び７次高調波を重畳した場合のｑ軸電流波形、同図（b）は比較例として、特許文献１の技術である基本波に３次高調波のみを重畳した下記式（６）
【００４４】
【数６】
2013135568.tif 000008
【００４５】
の場合のｑ軸電流波形を各々示す。
【００４６】
上記式（５）及び（６）での各ｑ軸電流指令値（iq※）の振幅値（Iq4）、（Iq2）は、上記したように瞬時トルクの電源周波数の半周期の間での平均トルク値が互いに等しくなるように決定される。ここで、上記４つの式（２）、（４）〜（６）において、各ｑ軸電流指令値（iq※）の振幅値（Iq1）〜（Iq4）は、奇数次高調波を重畳する数が多いほど小さくなり、Iq1＞Iq2＞Iq3＞Iq4の関係となっている。この関係及び図３から判るように、ｑ軸電流指令値（iq※）として少なくとも基本波の３次及び５次高調波を重畳し、更には７次高調波以上をも重畳するほど、実際にモータ（7）に流れる電流の最大値を小さく制限することができるので、モータ（7）の駆動に際して生じる銅損を有効に低減することが可能である。
【００４７】
図４は、図１に示したインバータのように、大容量の電界コンデンサを持たず、極めて小容量のフィルムコンデンサ（3a）のみを有し、力率改善コンデンサや波形改善用コンデンサを省略した構成でもってモータ(7)を駆動した場合において、ｑ軸電流指令値（iq※）として上記式（２）、（４）〜（６）を使用したときの銅損を示す。同図では、高調波を重畳しない基本波のみのｑ軸電流指令値を用いた場合の銅損を１００％として表示している。同図に示したように、３次高調波のみを重畳した特許文献１の技術の場合には９０．６％、本実施形態の式（２）に基づく３次及び５次高調波の重畳の場合は８７．７％、本実施形態の式（５）に基づく３次、５次及び７次高調波の重畳の場合は８６．３％であり、本実施形態の方が銅損を有効に低減できている。また、本実施形態の３次、５次及び７次高調波の重畳の場合と特許文献１の３次高調波のみを重畳した技術とを比較すると、本実施形態の方が約４％も銅損低減効果が大きく、モータ（7）の駆動効率を改善できる。
【００４８】
その際、ｄ軸電流指令値（id※）は、式（1）に示す通り、電源周波数（ω）の２倍の周期で全波整流状に変化する基本ｑ軸電流に対して少なくとも３次及び５次高調波を含む複数の奇数次高調波を重畳したｑ軸電流指令値（iq※）に応じて変動するので、このｄ軸電流指令値（id※）を一定値に固定する場合と比較して、変動するリラクタンストルクを考慮することができ、精度良いトルク制御が可能である。
【００４９】
しかも、基本波のみをｑ軸電流指令値とする通常の場合と比較して、この通常の場合に発生する全トルクと同一のトルクを発生するように、複数の奇数次高調波を重畳したｑ軸電流指令値（iq※）の振幅値（Iq3）、（Iq4）を決定しているので、通常の場合と同一の全トルクをモータ（7）に発生させながら、銅損を従来よりも効果的に低減することができる。
更に、ｄ軸電流指令値（id※）は、複数の奇数次高調波を重畳したｑ軸電流指令値（iq※）に固定比率（−tan（β））を乗じて得られるので、ｄ軸電流指令計算部（52）の構成が簡易である。
【００５０】
（第２の実施形態）
次に、本発明の第２の実施形態を説明する。
【００５１】
本実施形態では、ｄ軸電流指令計算部（52）でのｄ軸電流指令値（id※）の計算を変更する。上記第１の実施形態では、ｑ軸電流指令値（iq※）に固定比率（−tan（β））を乗じたが、本実施形態では、この比率（−tan（β））を可変に設定する。
【００５２】
具体的に、ｄ軸電流指令計算部（52）は、上記比率（−tan（β））、即ち、ｑ軸電流指令値（iq※）に対するｄ軸電流指令値（id※）の比率（id※/iq※）を変更し、ｑ軸電流指令値（iq※）が大きいほどtan（β）を大きく変更する。換言すれば、ｑ軸電流指令値（iq※）が大きいほど、ｑ軸からの位相進み角（β）をより進み側に変更する。このように変更する理由は次の通りである。
【００５３】
一定のトルクを発生させる電流（i）の位相（β）に対する特性曲線は、図５に示すように下に凸な曲線となる。また、大値のトルク（T1→T2→T3→T4）を発生させる電流（i）ほど、その最小電流値（この電流値を図中●で示す）となる位相（β）は進み位相側（β1→β2→β3→β4）に移行する。従って、ｑ軸電流指令値（iq※）を大値に設定してモータ（7）の発生トルクを増大させる場合には、モータ（7）に流す電流（i）の位相進み角（β）を大きく変更すれば、常に最小値の電流（i）でもってトルクを増大させることができる。
【００５４】
従って、本実施形態では、最小の電流でのモータ駆動が可能となるので、上記第１の実施形態での銅損の低減効果に加えて鉄損をも有効に低減でき、損失を最小に抑制することが可能である。
【００５５】
（その他の実施形態）
本発明は、上記実施形態１及び２について、以下のような構成としてもよい。
【００５６】
重畳する３次高調波（sin3ωt）、５次高調波（sin5ωt）、７次高調波（sin7ωt）の重み係数（h）を各々、h=1/3、h=1/5、h=1/7に、即ち、Ｎ次高調波の重み係数（h）をh=1/Nに設定したが、重み係数（h）の値としてその他の値を採用しても良い。
【００５７】
また、基本波に重畳する奇数次高調波は、３次と５次高調波、３次と５次と７次高調波の場合を例示したが、更に９次以上の高調波をも重畳してもよいのは勿論である。
【産業上の利用可能性】
【００５８】
以上説明したように、本発明は、インバータの制御装置、特に、大容量の電界コンデンサを持たず、力率改善コンデンサや波形改善用コンデンサを省略したインバータでモータを駆動する場合に有用である。
【符号の説明】
【００５９】
１    インバータの制御装置
２    コンバータ回路
３    フィルタ部
３ａ  フィルムコンデンサ
４    インバータ回路
５    制御回路
６    単相交流電源
４９  減算器
５０  速度制御部
５１  ｑ軸電流指令計算部
５２  ｄ軸電流指令計算部
【図１】
2013135568.tif 000009
【図２】
2013135568.tif 000010
【図３】
2013135568.tif 000011
【図４】
2013135568.tif 000012
【図５】
2013135568.tif 000013